(57)【要約】【課題】複数のサービスの提供する情報提供サーバ及び該情報提供サーバにおけるコンテンツ管理方法並びにプログラムを提供する。【解決手段】コンテンツが提供するサービス毎に区分けされた専用領域群と、コンテンツを記憶保持する汎用領域と、を有する記憶部を備えて、サービスを提供する情報提供サーバに、汎用領域に蓄積された各コンテンツについて、各コンテンツが提供する１又は２以上のサービスの種類を示すサービス属性と、コンテンツの格納場所とを含む属性情報を記憶保持するコンテンツ管理部を備え、コンテンツの更新要求を受け付けて、汎用領域に記憶保持するコンテンツを更新するとともに、コンテンツ管理部に記憶保持する、該コンテンツに係る属性情報を更新し、更に、コンテンツ管理部に記憶保持される内容の変更に応じて、各専用領域に記憶保持される、前記各コンテンツへのリンク情報を更新させる。【選択図】図２
2004021519.tif 000002
【特許請求の範囲】
【請求項１】
コンテンツが提供するサービス毎に区分けされた専用領域群と、前記コンテンツを記憶保持する汎用領域と、を有する記憶部を備えて、クライアントの要求するサービスに応じた専用領域へのアクセスを許可して、前記各サービスを提供する情報提供サーバであって、
前記汎用領域に蓄積された各コンテンツについて、前記各コンテンツが提供する１又は２以上のサービスの種類を示すサービス属性と、前記コンテンツの格納場所とを含む属性情報を記憶保持するコンテンツ管理部を備え、
コンテンツの更新要求を受け付けて、前記汎用領域に記憶保持するコンテンツを更新するとともに、前記コンテンツ管理部に記憶保持する、該コンテンツに係る属性情報を更新し、更に、前記コンテンツ管理部に記憶保持される内容の変更に応じて、前記各専用領域に記憶保持される、該コンテンツへのリンク情報を更新すること、
を特徴とする情報提供サーバ。
【請求項２】
コンテンツが提供するサービス毎に区分けされた専用領域群と、前記コンテンツを記憶保持する汎用領域と、を有する記憶部を備えて、クライアントの要求するサービスに応じた専用領域へのアクセスを許可して、前記各サービスを提供する情報提供サーバであって、
前記汎用領域に蓄積された各コンテンツについて、前記各コンテンツが提供する１又は２以上のサービスの種類を示すサービス属性と、前記コンテンツの格納場所とを含む属性情報を記憶保持するコンテンツ管理部と、
コンテンツと、該コンテンツのサービス属性との入力を受け付けて、前記コンテンツを前記記憶部の汎用領域に記憶保持するとともに、前記サービス属性情報と、前記コンテンツの格納場所とを含む該コンテンツの属性情報を前記コンテンツ管理部に登録する手段と、
前記記憶部の汎用領域に記憶保持したコンテンツについて、前記コンテンツ管理部に登録されたサービス属性に対応する専用領域に、該コンテンツへのリンク情報を出力する手段と、を備えること、
を特徴とする情報提供サーバ。
【請求項３】
請求項１又は２に記載の情報提供サーバにおいて、更に、
新たなサービスの追加又は既存のサービスの削除の要求を受け付けて、前記記憶部の専用領域の生成又は削除を行う手段を、備えて、
前記記憶部の汎用領域に記憶保持するコンテンツを利用するサービスの加除を可能としたこと、
を特徴とする情報提供サーバ。
【請求項４】
請求項１乃至３いずれか一に記載の情報提供サーバにおいて、更に、
前記各コンテンツについて、前記コンテンツ管理部に登録すべき他の属性情報の追加要求を受け付けて、前記コンテンツ管理部に前記他の属性情報フィールドを生成する手段と、
アクセスするクライアントに対して、前記リンク情報とともに、前記他の属性情報を提供する手段と、を備えること、
を特徴とする情報提供サーバ。
【請求項５】
コンテンツが提供するサービス毎に区分けされた専用領域群並びに前記コンテンツを記憶保持する汎用領域を有する記憶部と、前記汎用領域に蓄積された各コンテンツの属性情報を記憶保持するコンテンツ管理部と、を備えて、クライアントの要求するサービスに応じた専用領域へのアクセスを許可して、前記各サービスを提供する情報提供サーバにおけるコンテンツ管理方法であって、
前記情報提供サーバが、コンテンツの登録要求を受け付けた場合に、
コンテンツの入力を受け付け、更に、該コンテンツが提供する１又は２以上のサービスの種類を示すサービス属性の入力を受け付けるステップと、
前記汎用領域に、前記コンテンツを記憶保持するとともに、前記コンテンツ管理部に、前記サービス属性と、前記コンテンツの格納場所とを記憶保持するステップと、
前記コンテンツ管理部に記憶保持された前記サービス属性に応じて、前記コンテンツへのリンク情報を記憶保持する専用領域を判定するステップと、
前記専用領域に前記コンテンツへのリンク情報を出力するステップと、を含むこと、
を特徴とする情報提供サーバにおけるコンテンツ管理方法。
【請求項６】
請求項６に記載のコンテンツ管理方法であって、更に、
前記情報提供サーバが、コンテンツの削除を受け付けた場合に、
前記削除するコンテンツの指定を受け付けるステップと、
前記コンテンツ管理部に記憶保持された前記コンテンツの前記サービス属性に応じて、前記コンテンツへのリンク情報を削除する専用領域を判定するステップと、
前記専用領域に記憶保持された前記コンテンツへのリンク情報を削除するステップと、を含むこと、
を特徴とする情報提供サーバにおけるコンテンツ管理方法。
【請求項７】
請求項５又は６に記載の情報提供サーバのコンテンツ管理方法であって、更に、
前記情報提供サーバが、
新たなサービスの追加又は既存のサービスの削除の要求を受け付けて、前記記憶部の専用領域の生成又は削除を行うステップを含むこと、
を特徴とする情報提供サーバにおけるコンテンツ管理方法。
【請求項８】
請求項５乃至７いずれか一に記載の情報提供サーバのコンテンツ管理方法であって、
前記情報提供サーバが、
前記各コンテンツについて、前記コンテンツ管理部に登録すべき他の属性情報の追加要求を受け付けて、前記コンテンツ管理部に前記他の属性情報フィールドを生成するステップと、
前記記憶部の汎用領域に記憶保持するコンテンツについて、前記他の属性情報を受け付けて、前記コンテンツ管理部に登録するステップと、を含み、
アクセスするクライアントに対して、前記リンク情報とともに、前記他の属性情報を提供可能としたこと、
を特徴とする情報提供サーバのコンテンツ管理方法。
【請求項９】
コンテンツが提供するサービス毎に区分けされた専用領域群並びに前記コンテンツを記憶保持する汎用領域を有する記憶部と、前記汎用領域に蓄積された各コンテンツの属性情報を記憶保持するコンテンツ管理部と、を備えて、クライアントの要求するサービスに応じた専用領域へのアクセスを許可して、前記各サービスを提供する情報提供サーバを構成するコンピュータに実行させるプログラムであって、
コンテンツの登録要求を受け付けた場合に、
コンテンツの入力を受け付け、更に、該コンテンツが提供する１又は２以上のサービスの種類を示すサービス属性の入力を受け付ける処理と、
前記汎用領域に、前記コンテンツを記憶保持するとともに、前記コンテンツ管理部に、前記サービス属性と、前記コンテンツの格納場所とを記憶保持する処理と、
前記コンテンツ管理部に記憶保持された前記サービス属性に応じて、前記コンテンツへのリンク情報を記憶保持する専用領域を判定する処理と、
前記専用領域に前記コンテンツへのリンク情報を出力する処理との、
前記各処理を前記コンピュータに実行させるプログラム。
【請求項１０】
請求項９に記載のプログラムにおいて、更に、
コンテンツの削除要求を受け付けた場合に、
前記削除するコンテンツの指定を受け付ける処理と、
前記コンテンツ管理部に記憶保持された前記コンテンツの前記サービス属性に応じて、前記コンテンツへのリンク情報を削除する専用領域を判定する処理と、
前記専用領域に記憶保持された前記コンテンツへのリンク情報を削除する処理との、
前記各処理を前記コンピュータに実行させるプログラム。
【請求項１１】
請求項９又は１０に記載のプログラムにおいて、更に、
新たなサービスの追加又は既存のサービスの削除の要求を受け付けて、前記記憶部の専用領域の生成又は削除を行う処理を、前記コンピュータに実行させて、
前記コンピュータをして、前記記憶部の汎用領域に記憶保持するコンテンツを利用するサービスの加除を可能としたこと、
を特徴とするプログラム。
【請求項１２】
請求項９乃至１１いずれか一に記載のプログラムにおいて、更に、
前記各コンテンツについて、前記コンテンツ管理部に登録すべき他の属性情報の追加要求を受け付けて、前記コンテンツ管理部に前記他の属性情報フィールドを生成する処理と、
前記記憶部の汎用領域に記憶保持するコンテンツについて、前記他の属性情報を受け付けて、前記コンテンツ管理部に登録する処理と、
アクセスするクライアントに対して、前記他の属性情報を提供する処理との、
前記各処理を前記コンピュータに実行させるプログラム。
【発明の詳細な説明】
【０００１】
【発明の属する技術分野】
本発明は、情報提供サーバ及びコンテンツ管理方法並びにプログラムに関し、特に、数種のサービスを提供する情報提供サーバ及びコンテンツ管理方法並びにプログラムに関する。
【０００２】
【従来の技術】
従来、イントラネットや情報公開に用いられる情報提供サーバが、複数のサービスで同一のコンテンツを利用する場合、その記憶部に、それぞれのサービス用に確保した領域を設け、該コンテンツの複製を作成し、それぞれ独立して管理する手法が採られていた。図６は、こうした従来の情報提供サーバの記憶部の構成を概念的に示したブロック図である。図６を参照すると、記憶装置１内に元となるコンテンツ１００を記憶保持するコンテンツ記憶部（領域）１０と、Ｗｅｂサービス、ＦＴＰサービス、ファイルサービスといった各種サービスの専用領域（記憶部）２０、３０、４０とが設けられ、各専用領域（記憶部）２０、３０、４０には、元となるコンテンツ１００を複製したコンテンツが記憶保持されている。そして、情報提供サーバは、その専用領域に記憶保持されたコンテンツを用いてサービスを行うこととしている。なお、図６では、１の記憶装置にコンテンツ記憶部（領域）１０と、各専用領域（記憶部）２０、３０、４０とを構成した例を示したが、それぞれが別のサービスを行う複数の情報提供サーバを接続して構成する場合も同様に、各サーバ毎に、複製した同一のコンテンツを記憶保持させる場合がある。
【０００３】
【発明が解決しようとする課題】
しかしながら、上記した従来技術には、提供するサービスの種類・数や、複製された同一コンテンツが増えるに従って、コンテンツの管理が煩雑になり、運用コスト並びに管理負担が大きくなるという問題点がある。複数サービスで利用されている同一コンテンツのメンテナンスを行う場合において、各サービス間の整合性を維持するには、各サービス毎に保持・複製されたすべての同一コンテンツを対象にメンテナンスを実施する必要がある。また、同一コンテンツを複数記憶保持するものであるため、大容量の記憶装置が必要となってしまうという問題点もある。
【０００４】
本発明は、上記した問題点を解決すべくなされたものであって、その目的とするところは、情報提供サーバにより複数のサービスを提供する場合におけるコンテンツのメンテナンスや管理に係る負担を低減するとともに、記憶装置の容量を削減できる情報提供サーバ及びコンテンツ管理方法並びにプログラムを提供することにある。
【０００５】
【課題を解決するための手段】
前記課題を解決するための手段を提供する本発明の第１の視点によれば、コンテンツが提供するサービス毎に区分けされた専用領域群と、前記コンテンツを記憶保持する汎用領域と、を有する記憶部を備えて、クライアントの要求するサービスに応じた専用領域へのアクセスを許可して、前記各サービスを提供する情報提供サーバであって、前記汎用領域に蓄積された各コンテンツについて、前記各コンテンツが提供する１又は２以上のサービスの種類を示すサービス属性と、前記コンテンツの格納場所とを含む属性情報を記憶保持するコンテンツ管理部を備え、コンテンツの更新要求を受け付けて、前記汎用領域に記憶保持するコンテンツを更新するとともに、前記コンテンツ管理部に記憶保持する、該コンテンツに係る属性情報を更新し、更に、前記コンテンツ管理部に記憶保持される内容の変更に応じて、前記各専用領域に記憶保持される、該コンテンツへのリンク情報を更新すること、を特徴とする情報提供サーバが提供される。
【０００６】
また、情報提供サーバにより提供され得るサービスが多岐にわたり、状況に応じて上記した各サービスのミックスが見直されるべきものであることに鑑みれば、上記した情報提供サーバにおいて、新たなサービスの追加又は既存のサービスの削除の要求を受け付けて、前記記憶部の専用領域の生成又は削除を行う手段を、備えて、前記記憶部の汎用領域に記憶保持するコンテンツを利用するサービスの加除を可能とすることも好ましい。
【０００７】
また、情報提供サーバにより提供される前記コンテンツによっては、登録日、更新予定日等の付加情報を付与させることが好ましい場合があることに着目すれば、上記した情報提供サーバにおいて、更に、前記各コンテンツについて記憶保持すべき他の属性情報の追加要求を受け付けて、前記コンテンツ管理部に前記他の属性情報フィールドを生成する手段と、アクセスするクライアントに対して、前記リンク情報とともに、前記他の属性情報を提供する手段と、を備えることが好ましい。即ち、前記汎用領域に記憶保持するコンテンツについて、他の属性情報も受け付けて、前記コンテンツ管理部に登録し、前記アクセスするクライアントに対して提供することが可能となる。
【０００８】
また、本発明の第２の視点によれば、コンテンツが提供するサービス毎に区分けされた専用領域群並びに前記コンテンツを記憶保持する汎用領域を有する記憶部と、前記汎用領域に蓄積された各コンテンツの属性情報を記憶保持するコンテンツ管理部と、を備えて、クライアントの要求するサービスに応じて前記各専用領域へのアクセスを許可して前記各サービスを提供する情報提供サーバにおけるコンテンツ管理方法であって、前記情報提供サーバが、コンテンツの登録要求を受け付けた場合に、コンテンツの入力とともに、該コンテンツが提供する１又は２以上のサービスの種類を示すサービス属性の入力を受け付けるステップと、前記汎用領域に、前記コンテンツを記憶保持するとともに、前記コンテンツ管理部に、前記サービス属性と、前記コンテンツの格納場所とを記憶保持するステップと、前記コンテンツ管理部に記憶保持された前記サービス属性に応じて、前記コンテンツへのリンク情報を記憶保持する専用領域を判定するステップと、前記専用領域に前記コンテンツへのリンク情報を出力するステップと、を含むこと、を特徴とする情報提供サーバのコンテンツ管理方法が提供される。
【０００９】
また、一度登録されたコンテンツの削除又は修正を行う場合には、前記削除するコンテンツの指定を受け付けるステップと、前記コンテンツ管理部に記憶保持された前記コンテンツの前記サービス属性に応じて、前記コンテンツへのリンク情報を削除する専用領域を判定するステップと、前記専用領域に記憶保持された前記コンテンツへのリンク情報を削除するステップと、を前記情報提供サーバに実行させることで、前記汎用領域に蓄積されるコンテンツの統一的な管理が可能となる。
【００１０】
また、本発明の第３の視点によれば、上記したコンテンツ管理方法を、情報提供サーバを構成するコンピュータに実行させるプログラムが提供される。
【００１１】
【発明の実施の形態】
続いて、本発明の一実施の形態について、図面を参照して、詳細に説明する。図１は、情報提供サーバの概略構成を示したブロック図である。図１を参照すると、情報提供サーバは、コンテンツ記憶保持用の汎用領域と各サービス用の専用領域とを有する記憶部を構成する記憶装置１、コンテンツ管理部を構成するコンテンツ管理データベース２、処理装置３及び入出力装置４を含み、Ｗｅｂサービス、ＦＴＰ（Ｆｉｌｅ　Ｔｒａｎｓｆｅｒ　Ｐｒｏｔｏｃｏｌ）サービス、ファイルサービスを、提供するサーバである。
【００１２】
記憶装置１は、コンテンツを記憶保持する磁気ディスク装置等であり、コンテンツ管理データベース２は、前記記憶装置１に記憶保持された各コンテンツが利用されるサービスについての情報や記憶装置１におけるコンテンツの格納場所（位置情報）を関連付けて記憶保持するデータベースである。なお、図１では、コンテンツ管理データベース２は、記憶装置１とは別に記載されているが、記憶装置１に、コンテンツ管理データベース２を構成することとしてもよい。
【００１３】
処理装置３は、後に詳説するように、統一的なコンテンツの管理を提供するとともに、その属性情報に基いて、記憶部１の各サービス用コンテンツ記憶部の内容を更新する処理、並びに、入出力装置４を介して、前記各サービスを要求する端末に対して、前記コンテンツを用いた各サービスを提供する処理を行う。
【００１４】
図２は、本実施の形態の記憶装置１の構成を表したブロック図である。図２を参照すると、記憶装置１は、コンテンツ記憶部（領域）１０と、Ｗｅｂサービス用コンテンツ記憶部（領域）２０と、ＦＴＰサービス用コンテンツ記憶部（領域）３０と、ファイルサービス用コンテンツ記憶部（領域）４０を備えている。コンテンツ記憶部（領域）１０は、上記各サービスで利用するコンテンツ１００を統一的に記憶保持するための汎用領域であり、Ｗｅｂサービス用コンテンツ記憶部（領域）２０、ＦＴＰサービス用コンテンツ記憶部（領域）３０及びファイルサービス用コンテンツ記憶部（領域）４０は、前記各サービス毎に設けられた専用の記憶領域であって、コンテンツ記憶部１０に記憶保持された各コンテンツへの論理的なリンク情報２００を記憶保持する。
【００１５】
続いて、上記構成からなる本実施の形態の動作について、図面を参照して説明する。図３は、情報提供サーバが、新たなコンテンツの登録を受け付ける場合の処理の流れを表したフローチャートである。
【００１６】
図３を参照すると、まず、処理装置３は、入出力装置４を介して、入力されたコンテンツ１００を記憶装置１のコンテンツ記憶部（領域）１０に記憶保持する（ステップＡ１）。続いて、処理装置３は、入出力装置４を介して、コンテンツ１００について、提供するサービスの種類を示すサービス属性情報の入力（複数のサービス属性を与えてもよい）を受け付けて、コンテンツ１００の格納場所（位置情報）と関連付けてコンテンツ管理データベース２に登録する（ステップＡ２）。
【００１７】
続いて、処理装置３は、コンテンツ管理データベース２にアクセスして、コンテンツ１００が、利用されるサービスの判定処理を開始する。まず、処理装置３は、コンテンツ管理データベース２に登録された内容を参照し（ステップＡ３）、コンテンツ１００にＷｅｂサービスで利用される旨のサービス属性が与えられている場合は、Ｗｅｂサービス用コンテンツ記憶部（領域）２０にコンテンツ１００への論理的なリンク情報２００を出力する（ステップＡ４）。一方、コンテンツ１００にＷｅｂサービスで利用される旨のサービス属性が与えられていない場合は、処理装置３は、ステップＡ４をスキップする。
【００１８】
以下同様に、コンテンツ管理データベース２に登録された内容を参照し（ステップＡ５）、コンテンツ１００にＦＴＰサービスで利用される旨のサービス属性が与えられている場合は、処理装置３は、ＦＴＰサービス用コンテンツ記憶部（領域）３０にコンテンツ１００への論理的なリンク情報２００を出力する（ステップＡ６）。同様に、コンテンツ１００にＦＴＰサービスで利用される旨のサービス属性が与えられていない場合は、処理装置３は、ステップＡ６をスキップする。更に、コンテンツ管理データベース２に登録された内容を参照し（ステップＡ７）、コンテンツ１００にファイルサービスで利用される旨のサービス属性が与えられている場合は、処理装置３は、ファイルサービス用コンテンツ記憶部（領域）４０に、コンテンツ１００への論理的なリンク情報２００を出力する（ステップＡ８）。同様に、コンテンツ管理データベース２に登録された内容を参照し、コンテンツ１００がファイルサービスで利用される旨のサービス属性が与えられていない場合は、処理装置３は、ステップＡ８をスキップする。
【００１９】
上記フローチャートに示されたように、新たなコンテンツが入力される毎に、コンテンツ管理データベース２に登録されたサービス属性に応じて、記憶領域２０、３０、４０それぞれに、目的とするコンテンツ１００への論理的なリンク情報２００が出力される。もちろん、一度登録したコンテンツの削除を行う場合は、処理装置３が、管理データベース２に登録された削除対象コンテンツに係る情報を削除するとともに、各記憶部（領域）２０、３０、４０に記憶保持された論理的なリンク情報２００を削除するよう構成すればよい。また、一度登録したコンテンツのサービス属性の修正を行う場合は、修正前のコンテンツに係る情報の削除を行うとともに、上記したステップＡ２以降の処理を実行することで、コンテンツ管理データベース２に登録された内容と、各記憶部（領域）２０、３０、４０に記憶保持された論理的なリンク情報２００の整合性を維持することが可能である。
【００２０】
図４は、より具体的な例を示して、上記処理の流れを説明するための図である。Ｗｅｂサービス及びＦＴＰサービスで利用するコンテンツを登録する場合、処理装置３は、以下のとおり動作する。図４を参照すると、まず、入出力装置４を介してコンテンツが入力されると、処理装置３は、該コンテンツを記憶装置１のコンテンツ記憶部（領域）１０（例えば、汎用領域として「ドライブ名：／ｃｏｍｍｏｎ／」）に記憶保持する（ステップＡ１）。続いて、処理装置３は、入出力装置４を介して、登録者から該コンテンツのサービス属性情報（Ｗｅｂサービス、ＦＴＰサービス）を受け付けて、コンテンツ管理データベース２に登録する（ステップＡ２）。続いて、処理装置３は、コンテンツ管理データベース２を参照し、前記サービス属性情報としてＷｅｂサービスが指定されていることから、Ｗｅｂサービス用コンテンツ記憶部（領域）２０（例えば、「ドライブ名：／ｈｔｍｌ／」）に該コンテンツへの論理的なリンク情報２００（例えば、「ドライブ名：／ｃｏｍｍｏｎ／コンテンツ名」等のアクセスパスでよい）を出力する（ステップＡ４）。同様に、前記サービス属性情報としてＦＴＰサービスが指定されていることから、ＦＴＰサービス用コンテンツ記憶部（領域）３０（例えば、「ドライブ名：／ｆｔｐ／」）にも該コンテンツへの論理的なリンク情報２００（例えば、「ドライブ名：／ｃｏｍｍｏｎ／コンテンツ名」）を出力する（ステップＡ６）。一方、該コンテンツはファイルサービスで利用される旨の登録はなされていないため、処理装置３は、ステップＡ８（ファイルサービス用コンテンツ記憶部（領域）４０への論理的なリンク情報の出力）をスキップする。
【００２１】
このように、図６に例示される従来の方式であれば、Ｗｅｂサービス用コンテンツ記憶部（領域）２０及びＦＴＰサービス用コンテンツ記憶部（領域）３０にそれぞれコンテンツを複製していたところを、論理的なリンク情報２００のみが、各専用領域に配されることとなる。また、コンテンツを更新する場合であっても、コンテンツそのものを差し替える場合は、コンテンツ記憶部（領域）１０に記憶されたコンテンツを差し替えるだけで足り、また、バージョンアップしたコンテンツを登録する場合には、コンテンツ管理データベース２の内容を更新して、各記憶部（領域）２０、３０、４０の論理的なリンク情報２００を削除等を行わせるとともに、バージョンアップしたコンテンツについて上述した登録処理を行うことで足りることとなる。
【００２２】
続いて、本発明の第２の実施の形態について図面を参照して詳細に説明する。本実施の形態の情報提供サーバの構成は上記した第１の実施の形態として説明したものと略同様であるが、記憶部１の構成に変更を加えたものである。
【００２３】
図５は、本実施の形態の記憶部の構成を表したブロック図である。図５を参照すると、本実施の形態の記憶部は、複数の記憶装置１ａ〜１ｄからなり、コンテンツ記憶部（領域）１０、Ｗｅｂサービス用コンテンツ記憶部（領域）２０、ＦＴＰサービス用コンテンツ記憶部（領域）３０、ファイルサービス用コンテンツ記憶部（領域）４０が、それぞれ異なる記憶装置１ａ〜１ｄに構成されている。
【００２４】
その動作は、上記した第１の実施の形態と略同様であるが、本実施の形態によれば、各サービス用コンテンツ記憶部の組合せ、変更によって、コンテンツを利用するサービスを自由に拡張・変更することができる。例えば、既存の記憶装置の記憶容量が十分でない場合に、新たなサービスの追加の必要が生じた場合には、該サービス専用の記憶部（領域）が確保された新たな記憶装置を情報提供サーバに接続することで、新たなサービスの追加を容易に行うことが可能となる。また、処理装置３が、新たなサービスの追加要求を受け付けて、前記記憶部に該新たなサービスについての専用領域を生成する手段を、備える場合には、事後的に、前記記憶部の汎用領域に記憶保持するコンテンツについて、前記コンテンツ管理部への前記新たなサービス属性情報の登録を許可して、前記専用領域による新たなサービスを提供可能とすることが可能である。
【００２５】
もちろん、上記した各実施の形態では、情報提供サーバは、Ｗｅｂサービス、ＦＴＰサービス、ファイルサービスを提供するものとして説明したが、その他のプロトコルによるサービスを追加すること、或いは、上記したサービスを提供しないものとすること等、その組合せは限定するものではない。同様に、図３及び図４に示したサービス属性の判定の手順は、説明のために、例示的に示したものであることは、もちろんである。
【００２６】
また、上記した各実施の形態では、コンテンツ管理部として、コンテンツ管理データベース２を用いるものとして説明したが、記憶部の汎用領域に記憶保持されるコンテンツに係るサービス属性情報及び位置情報を記憶時保持可能であるものであれば、データベース以外の管理手段を用いてもよい。
【００２７】
また、上記した各実施の形態では、コンテンツ管理データベース２に登録する属性情報として、サービス属性情報と、位置情報とを挙げているが、登録日時や更新予定日時等のその他の属性項目を追加（削除）することも、好ましい変形である。
【００２８】
【発明の効果】
以上説明したとおり、本発明によれば、情報提供サーバにおけるコンテンツの管理／運用コストを大きく削減できることになる。その理由は、コンテンツ管理部を介して、汎用領域に記憶保持するコンテンツの一元的管理を行うとともに、該汎用領域への論理的なリンク情報を提供することによって、コンテンツの提供を行う構成を採用したためである。
【００２９】
また、本発明によれば、コンテンツを格納する記憶装置の容量を削減できる。その理由は、複数のサービスで共用するコンテンツが存在する場合に、該コンテンツを各サービス毎に複製するのではなく、コンテンツへの論理的なリンク情報のみを生成することで足りるからである。特に、サイズの大きいコンテンツを多数のサービスで共用する場合に、必要とする記憶容量を、大きく削減できることは、明らかである。
【図面の簡単な説明】
【図１】本発明の第１の実施の形態の情報提供サーバの概略構成を示したブロック図である。
【図２】本発明の第１の実施の形態における記憶装置の構成を表したブロック図である。
【図３】処理装置が、情報提供サーバが、新たなコンテンツの登録を受け付ける場合の処理の流れを表したフローチャートである。
【図４】図３の処理の流れを、具体例を用いて説明するための図である。
【図５】本発明の第２の実施の形態における記憶装置の構成を表したブロック図である。
【図６】従来の情報提供サーバの記憶装置の概略構成を示したブロック図である。
【符号の説明】
１、１ａ、１ｂ、１ｃ、１ｄ　記憶装置
２　コンテンツ管理データベース
３　処理装置
４　入出力装置
１０　コンテンツ記憶部（領域）
２０　Ｗｅｂサービス用コンテンツ記憶部（領域）
３０　ＦＴＰサービス用コンテンツ記憶部（領域）
４０　ファイルサービス用コンテンツ記憶部（領域）
１００　コンテンツ
２００　論理的なリンク情報
【図１】
2004021519.tif 000003
【図２】
2004021519.tif 000004
【図３】
2004021519.tif 000005
【図４】
2004021519.tif 000006
【図５】
2004021519.tif 000007
【図６】
2004021519.tif 000008